(57)【特許請求の範囲】
【請求項１】
隣接する建物ユニットの壁パネルの端面間に形成される端面空間にガスケットが挿し込まれる建物ユニット間の目地構造であって、
前記端面空間は、奥行き方向に幅が一定の固定空間と、前記固定空間に連続して屋外に向かって幅が漸増する調整空間と、を備え、
前記ガスケットは、前記固定空間より広い幅を有する変形ヒレ部及び表面ヒレ部を備えるとともに、
前記変形ヒレ部は前記固定空間に挿し込まれ、前記表面ヒレ部は前記調整空間に位置し、
前記壁パネルは、屋内側の下地面材と、屋外側の外装面材と、該下地面材の端縁と該外装面材の端縁との間に配設される端縁材と、を備えるとともに、
前記固定空間は、前記下地面材の向かい合う端面間に形成され、前記控え空間は、前記外装面材の向かい合う端面間に形成され、前記調整空間は、前記端縁材の斜めにカットされて向かい合う端面間に形成されることを特徴とする建物ユニット間の目地構造。
【請求項２】
前記端面空間は、前記調整空間に連続して屋外側に形成される奥行き方向に幅が一定の控え空間を備えるとともに、前記表面ヒレ部は、前記控え空間の幅と略同一の幅に形成されることを特徴とする請求項１に記載の建物ユニット間の目地構造。
【請求項３】
前記ガスケットは、複数の前記変形ヒレ部を備えることを特徴とする請求項１又は請求項２に記載の建物ユニット間の目地構造。
【請求項４】
隣接する前記建物ユニットのそれぞれの前記下地面材の屋外側には防水シートが貼設されるとともに、該防水シートは前記変形ヒレ部よりも屋内側の端面空間において接合されることを特徴とする請求項１乃至請求項３のいずれか一項に記載の建物ユニット間の目地構造。
【請求項５】
前記ガスケットの前記表面ヒレ部の屋外側に向けられる面は、前記壁パネルの外装面材と略同様の意匠に形成されることを特徴とする請求項１乃至請求項４のいずれか一項に記載の建物ユニット間の目地構造。
【請求項６】
請求項１乃至請求項５のいずれか一項に記載の建物ユニット間の目地構造を備えたユニット建物。
【発明の詳細な説明】
【技術分野】
【０００１】
本発明は、隣接する建物ユニット間の目地構造と、この建物ユニット間の目地構造を備えるユニット建物と、に関するものである。
【背景技術】
【０００２】
従来、建物ユニット間の隙間を塞いで、雨水などの浸入を防止する方法として、隙間にシーリング材を注入する方法や、ガスケットを挿入する方法などが知られている。
【０００３】
このガスケットとして、例えば、特許文献１では、軸となる脚部から両側へ広がる複数のヒレ部として長さの異なるものを設け、短いほうのヒレ部が先端側に位置するように配置するとともに、ヒレ部の間に溝状の弱体部を設けている。
【０００４】
したがって、目地の幅が広い場合には、長いほうのヒレ部まで挿入することで隙間を塞ぐことができる。また、目地の幅が狭い場合には、短いほうのヒレ部までを挿入したうえで、壁面から飛び出している部分を弱体部の位置で切り離すことができる。
【０００５】
また、特許文献２では、外壁と外壁との間の目地部にガスケットを挿入する際に、それぞれの外壁の側縁部に防水シートの側縁部が接着され、このそれぞれの防水シートの他の側縁部に設けられたファスナーによって防水シートを接合する。
【０００６】
したがって、外壁の室外側では通常の防水ができるうえに、室内側では防水シートで防水するという、二重の防水を行うから、完全かつ確実に防水することができる。
【特許文献１】特開平６−２９９６１４号公報
【特許文献２】特開平３−２６０２４０号公報
【発明の開示】
【発明が解決しようとする課題】
【０００７】
しかしながら、上記した特許文献１では、建物ユニット側には特別な構造を設けないで、ガスケットを挿入して防水するため、建物ユニット間の目開き幅に応じてガスケットが変形してしまって見栄えが悪くなるという問題があった。
【０００８】
また、特許文献２では、ガスケットが外壁の正面に接しているため、わずかな目違いによってもガスケットが浮き上がって見えてしまって見栄えが悪くなるという問題があった。
【０００９】
そこで、本発明は、建物ユニット間に目開きや目違いが生じても優れた美観を有する建物ユニット間の目地構造と、この建物ユニット間の目地構造を備えたユニット建物と、を提供することを目的としている。
【課題を解決するための手段】
【００１０】
前記目的を達成するために、本発明の建物ユニット間の目地構造は、隣接する建物ユニットの壁パネルの端面間に形成される端面空間にガスケットが挿し込まれる建物ユニット間の目地構造であって、前記端面空間は、奥行き方向に幅が一定の固定空間と、前記固定空間に連続して屋外に向かって幅が漸増する調整空間と、を備え、前記ガスケットは、前記固定空間より広い幅を有する変形ヒレ部及び表面ヒレ部を備えるとともに、前記変形ヒレ部は前記固定空間に挿し込まれ、前記表面ヒレ部は前記調整空間に位置することを特徴とする。
【００１１】
また、前記端面空間は、前記調整空間に連続して屋外側に形成される奥行き方向に幅が一定の控え空間を備えるとともに、前記表面ヒレ部は、前記控え空間の幅と略同一の幅に形成される構成とすることができる。
【００１２】
さらに、前記ガスケットは、複数の前記変形ヒレ部を備える構成とすることができる。
【００１３】
そして、前記壁パネルは、屋内側の下地面材と、屋外側の外装面材と、該下地面材の端縁と該外装面材の端縁との間に配設される端縁材と、を備えるとともに、前記固定空間は、前記下地面材の向かい合う端面間に形成され、前記控え空間は、前記外装面材の向かい合う端面間に形成され、前記調整空間は、前記端縁材の斜めにカットされて向かい合う端面間に形成される構成とすることができる。
【００１４】
また、隣接する前記建物ユニットのそれぞれの前記下地面材の屋外側には防水シートが貼設されるとともに、該防水シートは前記変形ヒレ部よりも屋内側の端面空間において接合されることが好ましい。
【００１５】
さらに、前記ガスケットの前記表面ヒレ部の屋外側に向けられる面は、前記壁パネルの外装面材と略同様の意匠に形成されることが好ましい。
【００１６】
そして、本発明のユニット建物は上記したいずれかの建物ユニット間の目地構造を備えることを特徴とする。
【発明の効果】
【００１７】
このように、本発明の建物ユニット間の目地構造は、端面空間が、奥行き方向に幅が一定の固定空間と、屋外に向かって幅が漸増する調整空間と、を備え、ガスケットは、固定空間より幅の広い変形ヒレ部及び表面ヒレ部を備えるとともに、変形ヒレ部は固定空間に挿し込まれ、表面ヒレ部は調整空間に位置する。
【００１８】
したがって、表面ヒレ部は大きく変形せずに調整空間に接することができるとともに、変形ヒレ部は固定空間や調整空間に位置することで、優れた美観を備えつつ、防水性を向上させることができる。
【００１９】
また、端面空間は、調整空間の屋外側に奥行き方向に幅が一定の控え空間を備えるとともに、表面ヒレ部は、控え空間の幅と略同一の幅に形成されることで、表面ヒレ部の側方から雨水が入り込みにくくなるうえに、端面空間に奥行き感が出て美観が向上する。
【００２０】
さらに、ガスケットは、複数の前記変形ヒレ部を備えることで、複数段階に雨水を遮断できるため、防水性を高めることができる。
【００２１】
そして、固定空間は下地面材の端面間に形成され、控え空間は外装面材の端面間に形成され、調整空間は端縁材の斜めにカットされた端面間に形成されることで、通常の建物ユニットの構造をほとんど変更せずに、簡易な構造によって防水性及び美観性を高めることができる。
【００２２】
また、下地面材の屋外側には防水シートが貼設されるとともに、防水シートは変形ヒレ部よりも屋内側の端面空間において接合されることで、ガスケットと防水シートとによって防水することで、さらに防水性を高めることができる。
【００２３】
さらに、ガスケットの表面ヒレ部の屋外側に向けられる面は、壁パネルの外装面材と略同様の意匠に形成されることで、外装面材に溝を形成したように見せることができるため、外観に高級感が生まれて美観が向上する。
【００２４】
そして、本発明のユニット建物は上記したいずれかの建物ユニット間の目地構造を備えることで、防水性が優れるうえに、高級感のある外観を備えたユニット建物とすることができる。
【発明を実施するための最良の形態】
【００２５】
以下、本発明の最良の実施の形態について図面を参照して説明する。
【００２６】
まず、図２を用いて、本発明の建物ユニット間の目地構造Ｃを備えるユニット建物Ｓの全体構成を説明する。
【００２７】
本発明のユニット建物Ｓは、図２に示すように、基礎９１の上に隣接して載置された建物ユニットＵ１，Ｕ２，・・・と、これらに載置される屋根パネル９２，・・・と、を備えている。なお、図２では、説明の便宜のために、一部の屋根パネル９２を取り除いて示している。
【００２８】
この建物ユニットＵ１は、壁パネル1，・・・と、床パネル（不図示）と、屋根パネル９２と、を備えている。
【００２９】
この一方の壁パネル１は、図３に示すように、石コウボードなどの板状の内装面材１１と、この内装面材１１に取り付けられるいわゆる２×６材などの縦枠１２，・・・と、縦枠１２，・・・を介して内装面材１１に取り付けられる板状の下地面材１３と、この下地面材１３の縦枠１２，・・・とは反対側の面に取り付けられる胴縁１４，・・・と、胴縁１４，・・・を介して下地面材１３に取り付けられる板状の外装面材１５と、下地面材１３の端縁と外装面材１５の端縁との間に取り付けられる端縁材１６と、内装面材１１と下地面材１３との間に充填されるグラスウールなどの断熱材１７と、下地面材１３の屋外側に貼設される防水シート１８と、を備えている。
【００３０】
この下地面材１３は、パーティクルボードなどによって板状に形成されるもので、縦枠１２を介して内装面材１１と略平行になるように取り付けられている。そして、内装面材１１と縦枠１２，・・・と下地面材１３とによって壁パネル１に作用する荷重を支持する骨組を構成している。
【００３１】
また、胴縁１４は、木材などによって矩形断面を有する細い板状に形成されるもので、一方の側面が下地面材１３の縦枠１２，・・・の取り付けられた面とは反対側の面に釘などによって取り付けられるとともに、他方の側面には外装面材１５が釘などによって取り付けられている。
【００３２】
したがって、下地面材１３と外装面材１５との間に、胴縁１４の高さと同じ幅の通気層１９が形成されて、壁パネル１の内部の通気性を確保している。なお、図示しないが、この通気層１９の上端及び下端には吸気口や排気口が設けられている。
【００３３】
さらに、外装面材１５は、木片セメント板などによって板状に形成されるもので、通気層１９を介して下地面材１３と略平行になるように胴縁１４の側面に釘５３などによって取り付けられている。加えて、この外装面材１５の屋外側には美観のために塗装などがされている。また、この外装面材１５の水平方向の幅は、上記した下地面材１３の幅よりも狭く形成されている。
【００３４】
そして、端縁材１６は、上記した外装面材１５と同一の材料によって細い板状に形成されるもので、上記した胴縁１４の高さと同じ高さに加工されて、下地面材１３の端縁部と外装面材１５の端縁部との間に釘５３などによって取り付けられている。
【００３５】
また、この端縁材１６の対向する建物ユニット２の側に向いた端面１６１（図１参照）は、外装面材１５側から下地面材１３側に向かって、端縁材１６自体の幅が広がるようにカットされているため、台形状の断面を有するように形成されている。
【００３６】
なお、他方の壁パネル２についても上記した壁パネル１と略同様の構成であるから説明は省略する。
【００３７】
そして、本実施の形態の建物ユニット間の目地構造Ｃは、図３に示すように、一方の建物ユニット１の壁パネル１と、他方の建物ユニット２の壁パネル２と、の間に形成される端面空間３にガスケット４が挿入されて構成されている。
【００３８】
この端面空間３は、図１に示すように、最も屋内側に位置する固定空間３１と、最も屋外側に位置する控え空間３３と、この固定空間３１と控え空間３３との間に形成される調整空間３２と、を備えている。
【００３９】
固定空間３１は、一方の下地面材１３の端面１３１と他方の下地面材２３の端面２３１との間に形成されるもので、互いに平行な端面１３１，２３１間に挟まれるため屋内６１側から屋外６２側に渡って幅Ｂ１が一定になっている。
【００４０】
また、調整空間３２は、上記した固定空間３１の屋外６２側に連続して、一方の端縁材１６の端面１６１と他方の端縁材２６の端面２６１との間に形成されている。そして、これらの端縁材１６，２６の断面がカットされて台形状に形成されているため、屋内６１側から屋外６２側へ向かって幅Ｂ２が広くなっている。
【００４１】
すなわち、この調整空間の幅Ｂ２は、上記した固定空間３１の狭い幅Ｂ１と、後述する控え空間３３の広い幅Ｂ３と、の間を結んで補間するように形成されるため、屋内６１側から屋外６２側へと幅Ｂ２が直線的に増加するようになっている。
【００４２】
さらに、控え空間３３は、上記した調整空間３２の屋外６２側に連続して、一方の外装面材１５の端面１５１と他方の外装面材２５の端面２５１との間に形成されている。そして、互いに平行な端面１５１，２５１間に挟まれるため屋内６１側から屋外６２側に渡って幅Ｂ３が一定になっている。加えて、この控え空間３３の幅Ｂ３は、外装面材１５の幅が下地面材１３の幅より狭くなっていることに対応して、固定空間３１の幅Ｂ１よりも広くなっている。
【００４３】
そして、本実施の形態の建物ユニット間の目地構造Ｃに用いるガスケット４は、図４に示すように、ゴムなどの樹脂によって長尺状に形成されるもので、全体の軸となる軸部４０と、変形ヒレ部としての内側変形ヒレ部４１，４１と、変形ヒレ部としての外側変形ヒレ部４２，４２と、表面ヒレ部４３と、を備えている。
【００４４】
この軸部４０は、後述する内側変形ヒレ部４１や外側変形ヒレ部４２や表面ヒレ部４３よりも厚肉に形成されており、端面空間３に挿入される際に、押し込む方向の力を伝達できるように形成されている。
【００４５】
また、内側ヒレ部４１は、軸部４０の先端から両側に突出する薄肉の羽状に形成されるもので、後述する外側ヒレ部４２と、連携部４４を介して連携されている。さらに、この内側ヒレ部４１の幅Ｗ１は、上記した固定空間３１の設置誤差を含んだ予想される最大の幅Ｂ１よりも広く形成されているとともに、表面ヒレ部４３側に倒れるように傾斜している。
【００４６】
そして、図１に示すように、設置された状態では、固定空間３１に挿入されて表面ヒレ部４３側に倒れるように変形することで、下地面材１３，２３の端面１３１，２３１に接している。加えて、端縁材１６，２６の端面１６１，２６１の鋭角な返し部分に掛止して抜けにくくなっている。
【００４７】
同様に、外側ヒレ部４２は、軸部４０の中間部から両側に突出する薄肉の羽状に形成されるもので、上記した内側ヒレ部４１と、連携部４４を介して連携されている。さらに、この外側ヒレ部４２の幅Ｗ２は、上記した固定空間３１の設置誤差を含んだ予想される最大の幅Ｂ１よりも広く形成されているとともに、表面ヒレ部４３側に倒れるように傾斜している。
【００４８】
さらに、図１に示すように、設置された状態では、固定空間３１や調整空間３２に挿入されて表面ヒレ部４３側に倒れるように変形することで、下地面材１３，２３の端面１３１，２３１や端縁材１６，２６の端面１６１，２６１に接している。
【００４９】
ここにおいて、この外側ヒレ部４２の幅Ｗ２は、内側ヒレ部４１の幅Ｗ１よりも狭く形成されており、内側ヒレ部４１が固定空間３１に挿入された状態では、調整空間３２に接している。
【００５０】
また、表面ヒレ部４３は、軸部４０の基部にＴ字状に取り付けられるもので、中央近傍の厚肉部４３１と周縁の薄肉部４３２，４３２とを備えている。さらに、この表面ヒレ部４３の幅Ｗ３は、上記した固定空間３１の設置誤差を含んだ予想される最大の幅Ｂ１よりも広く形成されている。
【００５１】
この厚肉部４３１は、肉厚の軸部４０に接続して肉厚に形成されているため、ガスケット４の挿入の際に打撃された場合に軸力を伝達しやすいうえに、表面４３１ａが加工されやすくなっている。
【００５２】
そして、この表面４３１ａは、上記した外装面材１５や端縁材１６と同一の意匠を有するように形成されているため、正面から見ると端面空間３が外装面材１５に形成された溝のように見える。
【００５３】
また、薄肉部４３２は、厚肉部４３１と比べて薄く形成されて、厚肉部４３１の周縁に設けられるものであるから、調整空間３２などに接して変形しやすくなっている。
【００５４】
そして、設置された状態では、図１に示すように、薄肉部４３２が調整空間３２に挿入されて屋外６２側に倒れるように変形することで、端縁材１６，２６の斜めにカットされた端面１６１，２６１に接している。
【００５５】
次に、本実施の形態の建物ユニット間の目地構造Ｃの施工方法について、図５，６を用いて説明する。
【００５６】
まず、工場において壁パネル１，２や床パネル（不図示）を組み立てて建物ユニットＵ１，Ｕ２を製作する。
【００５７】
続いて、それぞれの建物ユニットＵ１，Ｕ２をトレーラなどに載せて現場まで運搬し、現場に構築された鉄筋コンクリートの基礎９１にクレーンなどによって吊り上げて載置してアンカーボルトなどによって固定する。この際、隣接する建物ユニットＵ１，Ｕ２の壁パネル１，２間に設置されるスペーサ５１によって建物ユニットＵ１，Ｕ２が近づき過ぎないように位置が調整される。
【００５８】
次に、端面空間３において、一方の壁パネル１の防水シート１８と他方の壁パネル２の防水シート２８とを接着剤などによって接合し、固定空間３１（図１参照）の屋内６１側（図３参照）でまとめておく。
【００５９】
そして、図５（ａ）に示すように、ガスケット４を手７４によって、上端から端面空間３に押し込んでいく。ここにおいて、押し込む深さは、ガスケット４の表面ヒレ部４３（図４参照）が壁パネル１，２の表面と面一になる程度の深さとする。そして、余った部分をハサミ７２によって切り落としておく。
【００６０】
次に、図５（ｂ）に示すように、ガスケット４の表面ヒレ部４３（図４参照）に挿入治具７１の太条７１３を当て、ハンマ７３によって打撃してやることで、ガスケット４を端面空間３に挿入する。
【００６１】
ここにおいて、この挿入治具７１は、図６に示すように、木材などによって形成されており、本体板７１１とその両側に突出した細条７１２と太条７１３とを備えている。
【００６２】
この細条７１２の幅ｔ１は、太条７１３の幅ｔ２よりも狭く形成されるとともに、細条７１２の高さｈ１は、太条７１３の高さｈ２よりも高く形成されている。
【００６３】
そして、通常は幅ｔ２の広い太条７１３をガスケット４に当てて挿入するが、ガスケット４の挿入深さが浅く、ガスケット４がぐらぐらして固定されていない場合には、高さｈ１の高い細条７１２をガスケット４に当てて端面空間３の奥まで挿入する。
【００６４】
なお、いずれの場合でも挿入治具７１を用いて挿入してやることで、常に所定の深さに挿入できるため、内側ヒレ部４１や外側ヒレ部４２を下地面材１３，２３や端縁材１６，２６に確実に当接させることができる。
【００６５】
このようにして、ガスケット４を端面空間３に挿入してやることで、建物ユニット間の目地構造Ｃの施工が完了する。
【００６６】
次に、本実施の形態の建物ユニット間の目地構造Ｃの作用について、図１，７を参照しながら説明する。
【００６７】
このように、本発明の建物ユニット間の目地構造Ｃは、図１に示すように、端面空間３が、一定の幅Ｂ１を有する固定空間３１と、屋外６２に向かって幅Ｂ２が漸増する調整空間３２と、を備え、ガスケット４は、固定空間３１より幅Ｗ１，Ｗ２の広い変形ヒレ部としての内側変形ヒレ部４１と外側変形ヒレ部４２及び表面ヒレ部４３を備えるとともに、内側変形ヒレ部４１と外側変形ヒレ部４２は固定空間３１に挿し込まれ、表面ヒレ部４３は調整空間３２に挿し込まれている。
【００６８】
したがって、表面ヒレ部４３は大きく変形せずに調整空間３２に接することができるとともに、変形ヒレ部としての内側変形ヒレ部４１と外側変形ヒレ部４２は固定空間３１に挿入されて変形することで確実に防水できるため、優れた美観を備えつつ、防水性を向上させることができる。
【００６９】
つまり、建物ユニットＵ１，Ｕ２を設置した際に、設置誤差がなく幅Ｂ１，Ｂ２，Ｂ３が設計値どおりの場合には、図７（ａ）に示すように、表面ヒレ部４３を調整空間３２と控え空間３３との境界位置近傍で端縁材１６，２６の端面１６１，２６１に当接させることができる。
【００７０】
また、建物ユニットＵ１，Ｕ２を設置した際に、設置誤差によって幅Ｂ１，Ｂ２，Ｂ３が設計値より狭い場合には、図７（ｂ）に示すように、表面ヒレ部４３の薄肉部４３２が変形して、調整空間３２と控え空間３３との境界位置近傍で端縁材１６，２６の端面１６１，２６１に当接させることができる。
【００７１】
さらに、建物ユニットＵ１，Ｕ２を設置した際に、設置誤差によって幅Ｂ１，Ｂ２，Ｂ３が設計値より広い場合には、図７（ｃ）に示すように、ガスケット４を深く挿入することで、表面ヒレ部４３を調整空間３２の中間箇所で端縁材１６，２６の端面１６１，２６１に当接させることができる。
【００７２】
このように、設置誤差による幅Ｂ１，Ｂ２，Ｂ３の広さに対応して、ガスケット４の挿入深さを調整してやることで、表面ヒレ部４３を傾斜した調整空間３２に当接させることができる。
【００７３】
また、変形ヒレ部としての内側変形ヒレ部４１と外側変形ヒレ部４２とは、幅Ｗ１，Ｗ２（図４参照）が固定空間３１の幅Ｂ１より広く形成されているため、設置誤差が生じてもこの固定空間３１を構成する下地面材１３，２３の端面１３１，２３１や調整空間３２を構成する端縁材１６，２６の端面１６１，２６１に確実に当接させることができる。
【００７４】
したがって、設置誤差が生じた場合にも、表面ヒレ部４３と内側変形ヒレ部４１と外側変形ヒレ部４２とがそれぞれ確実に防水することによって、端面空間３から浸入する雨水を遮断して防水性を高めることができる。
【００７５】
また、表面ヒレ部４３を調整空間３２に確実に当接させることができれば、端面空間３を正面から見ても隙間がなくなるため、ある程度の設置誤差が生じても美観が向上する。
【００７６】
さらに、端縁材１６，２６の端面１６１，２６１は斜めにカットされることで、調整空間３２が屋外６２側に向かって広がるように形成されているため、挿入深さをわずかに調整することによってガスケット４の表面ヒレ部４３を調整空間３２に当接させることができるため、外装面材１５，２５の表面１５２，２５２（図７参照）からの深さをほぼ一定に保つことができる。このように、設置誤差によらずに奥行きをほぼ一定に保つことができれば、外観に統一感が生まれて美観が向上することとなる。
【００７７】
そして、本実施の形態のガスケット４の表面ヒレ部４３の厚肉部４３１の表面４３１ａは、外装面材１５，２５や端縁材１６，２６と同一の意匠に形成されているため、外観に統一感が生まれて美観が向上する。
【００７８】
また、ガスケット４の固定のための反力は、内側変形ヒレ部４１や外側変形ヒレ部４２が変形した際の弾性反力によって得ているため、表面ヒレ部４３は大きく変形させずに調整空間３２に当接させることができる。したがって、表面ヒレ部４３の耐久性を向上させることができる。
【００７９】
加えて、このように表面ヒレ部４３が大きく変形しないことによって、厚肉部４３１の表面４３１ａに外装面材１５，２５と同一の意匠を施した場合でも、表面４３１ａに施した意匠が変形によって損傷することを防止できる。
【００８０】
さらに、本実施の形態の端面空間３は、調整空間３２の屋外６２側に一定幅Ｂ３の控え空間３３を備えるとともに、表面ヒレ部４３は、控え空間３３の幅Ｂ３と略同一の幅Ｗ３に形成されることで、表面ヒレ部４３の側方から雨水が入り込みにくくなるうえに、端面空間３に奥行き感が出て美観が向上する。
【００８１】
つまり、表面ヒレ部４３は少なくとも外装面材１５，２５の厚さと同じ距離だけ屋外６２側から屋内６１側に入り込んでいるため、雨水が表面ヒレ部４３の薄肉部４３２の側方から回り込むように浸入することを防止する構造となっている。
【００８２】
加えて、ガスケット４の表面ヒレ部４３の厚肉部４３１の表面４３１ａは、外装面材１５，２５や端縁材１６，２６と同一の意匠を有するうえに、この控え空間３３を備えていることで、端面空間３が外装面材１５，２５に設けた溝のように見えるため、高級感が生まれてよりいっそう美観が向上する。
【００８３】
この場合、表面ヒレ部４３の幅Ｗ３がスペーサ５１によって形成される控え空間３３の幅Ｂ３と略同一に形成されることで、表面ヒレ部４３の幅Ｗ３をもっとも広くとることができる。
【００８４】
さらに、固定空間３１は下地面材１３，２３の端面１３１，２３１間に形成され、控え空間３３は外装面材１５，２５の端面１５１，２５１間に形成され、調整空間３２は端縁材１６，２６の斜めにカットされた端面１６１，２６１間に形成されることで、通常の建物ユニットの構造をほとんど変更せずに、簡易な構造によって防水性及び美観性を高めることができる。
【００８５】
すなわち、壁パネル１において、縦枠１２や下地面材１３などの構成はまったく変えることなく、端縁材１６の端面１６１を斜めにカットし、外装面材１５の幅を狭くすることによって、端面空間３を形成することができる。したがって、従来の工場の生産ラインをそのまま利用して、建物ユニット間の目地構造Ｃを構築することができる。
【００８６】
そして、ガスケット４は、複数の変形ヒレ部として内側変形ヒレ部４１と外側変形ヒレ部４２とを備えることで、複数段階に雨水を遮断できるため、防水性を高めることができる。
【００８７】
また、下地面材１３の屋外６２側には防水シート１８が貼設されるとともに、防水シートは変形ヒレ部としての内側変形ヒレ部４１や外側変形ヒレ部４２よりも屋内６１側の端面空間３において接合される。
【００８８】
したがって、ガスケット４によって一次防水をしたうえで、防水シート１８によって二次防水することで、ガスケット４の隙間から雨水が浸入した場合でも、この浸入した雨水を防水シート１８によって遮断できるため、防水性を高めることができる。
【００８９】
そして、本発明のユニット建物Ｓは、上記した建物ユニット間の目地構造Ｃを備えることで、防水性が優れるうえに、高級感のある外観を備えたユニット建物とすることができる。
【実施例】
【００９０】
以下、図８を用いて、前記実施の形態とは別の形態の建物ユニット間の目地構造Ｃ１を備えるユニット建物Ｓについて説明する。
【００９１】
なお、前記実施の形態で説明した内容と同一乃至均等な部分の説明については同一符号を付して説明する。
【００９２】
本実施例では、前記実施の形態とは異なり、壁パネル１，２間に段差ｄが生じている状態で、端面空間３にガスケット４を挿入する場合について説明する。
【００９３】
まず、構成から説明すると、本実施例の建物ユニット間の目地構造Ｃ１は、一方の建物ユニット１の壁パネル１と他方の建物ユニット２の壁パネル２との間に形成される端面空間３にガスケット４が挿入されて構成されている。
【００９４】
そして、本実施例の一方の壁パネル１の外装面材１５の表面１５２と、他方の壁パネル２の外装面材２５の表面２５２と、は設置誤差や部材厚さの違いなどによって、図８に示すような段差ｄが生じている。
【００９５】
つまり、建物ユニットＵ１，Ｕ２を設置した際に、幅Ｂ１，Ｂ２，Ｂ３が設計値どおりであるが段差ｄが生じている場合には、図８（ａ）に示すように、一方の表面ヒレ部４３を外装面材１５の端面１５１に当接させ、他方の表面ヒレ部４３を調整空間３２と控え空間３３との境界位置近傍で端縁材１６，２６の端面１６１，２６１に当接させる。
【００９６】
また、建物ユニットＵ１，Ｕ２を設置した際に、設置誤差によって幅Ｂ１，Ｂ２，Ｂ３が設計値より狭いうえに段差ｄが生じている場合には、図８（ｂ）に示すように、一方の表面ヒレ部４３を外装面材１５の端面１５１に当接させ、他方の表面ヒレ部４３の薄肉部４３２を変形させて調整空間３２と控え空間３３との境界位置近傍で端縁材１６，２６の端面１６１，２６１に当接させる。
【００９７】
さらに、建物ユニットＵ１，Ｕ２を設置した際に、設置誤差によって幅Ｂ１，Ｂ２，Ｂ３が設計値より広く段差ｄが生じている場合には、図８（ｃ）に示すように、ガスケット４を深く挿入して、一方の表面ヒレ部４３はいずれの部材にも当接させないで、他方の表面ヒレ部４３を調整空間３２の中間箇所で端縁材１６，２６の端面１６１，２６１に当接させる。
【００９８】
このように片方の表面ヒレ部４３がいずれの部材にも当接せずに浮いた状態になっても、調整空間３２が屋内６１側に向かって狭くなっているため、正面から隙間が見えてしまうことはない。
【００９９】
そして、上記したいずれの場合にも、変形ヒレ部としての内側変形ヒレ部４１や外側変形ヒレ部４２は固定空間３１に挿入されて、下地面材１３，２３の端面１３１，２３１や端縁材１６，２６の端面１６１，２６１に当接している。
【０１００】
したがって、設置誤差によって段差ｄが生じた場合には、前記実施の形態と比べて防水性はやや劣るものの、内側変形ヒレ部４１と外側変形ヒレ部４２とによって防水することによって、端面空間３から浸入する雨水を遮断して防水性を高めることができる。
【０１０１】
なお、この他の構成および作用効果については、前記実施の形態と略同様であるため説明を省略する。
【０１０２】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１０３】
例えば、本実施の形態及び実施例では、端面空間３において控え空間３３を設ける場合について説明したが、これに限定されるものではなく、控え空間を設けないものであってもよい。
【０１０４】
また、本実施の形態及び実施例では、複数の変形ヒレ部として２枚の変形ヒレ部を有するガスケット４について説明したが、これに限定されるものではなく、１枚の変形ヒレ部を有するガスケットでもよいし、３枚以上の変形ヒレ部を有するガスケットであってもよい。
【０１０５】
さらに、本実施の形態及び実施例では、下地面材１３，２３の向かい合う端面１３１，２３１間に固定空間３１が形成され、外装面材１５，２５の向かい合う端面１５１，２５１間に控え空間３３が形成され、端縁材１６，２６の斜めにカットされて向かい合う端面１６１，２６１間に調整空間３２が形成される場合について説明したが、これに限定されるものではなく、壁パネル１，２の端面のいずれの部材に固定空間や控え空間や調整空間を設けるものであってもよい。
【０１０６】
そして、本実施の形態及び実施例では、防水シート１８，２８を設けて固定空間３１の屋内６１側で接合する建物ユニット間の目地構造Ｃ，Ｃ１について説明したが、これに限定されるものではなく、防水シートを設けない建物ユニット間の目地構造であってもよい。
【０１０７】
また、本実施の形態及び実施例では、ガスケット４の表面ヒレ部４３の厚肉部４３１の表面４３１ａが外装面材１５，２５と同一意匠を有する場合について説明したが、これに限定されるものではなく、彩度が同じで明度が異なるものであってもよいし、まったく異なる意匠を有してアクセントとなるものであってもよい。
【図面の簡単な説明】
【０１０８】
【図１】本発明の最良の実施の形態の建物ユニット間の目地構造の構成を説明する断面図である。
【図２】本発明の最良の実施の形態の建物ユニット間の目地構造を備えるユニット建物の全体構成を説明する断面図である。
【図３】本発明の最良の実施の形態の建物ユニット間の目地構造が設けられる壁パネルの構成を説明する断面図である。
【図４】ガスケットの構成を説明する断面図である。
【図５】本発明の最良の実施の形態の建物ユニット間の目地構造の施工方法を説明する説明図である。（ａ）は手で押し込む工程であり、（ｂ）は挿入治具を用いて押し込む工程である。
【図６】挿入治具の構成を説明する斜視図である。（ａ）は細条を有する側から見た図であり、（ｂ）は太条を有する側から見た図である。
【図７】本発明の最良の実施の形態の建物ユニット間の目地構造の設置状態を説明する断面図である。（ａ）は幅が設計値の場合であり、（ｂ）は幅が狭い場合であり、（ｃ）は幅が広い場合である。
【図８】本発明の実施例の建物ユニット間の目地構造の設置状態を説明する断面図である。（ａ）は幅は設計値であるが段差が生じている場合であり、（ｂ）は幅が狭い上に段差が生じている場合であり、（ｃ）は幅が広い上に段差が生じている場合である。
【符号の説明】
【０１０９】
Ｓ            ユニット建物
Ｃ，Ｃ１      建物ユニット間の目地構造
Ｕ１，Ｕ２    建物ユニット
Ｂ１，Ｂ２，Ｂ３  幅
Ｗ１，Ｗ２，Ｗ３  幅
ｈ１，ｈ２    高さ
ｔ１，ｔ２    幅
１，２        壁パネル
１３，２３    下地面材
１５，２５    外装面材
１６，２６    端縁材
１３１，２３１  端面
１５１，２５１  端面
１６１，２６１  端面
１８，２８    防水シート
３            端面空間
３１          固定空間
３２          調整空間
３３          控え空間
４            ガスケット
４１          内側変形ヒレ部（変形ヒレ部）
４２          外側変形ヒレ部（変形ヒレ部）
４３          表面ヒレ部
４３１ａ      表面
６１          屋内
６２          屋外
【図１】
0005175506.tif 000002
【図２】
0005175506.tif 000003
【図３】
0005175506.tif 000004
【図４】
0005175506.tif 000005
【図５】
0005175506.tif 000006
【図６】
0005175506.tif 000007
【図７】
0005175506.tif 000008
【図８】
0005175506.tif 000009